(57)【要約】    【課題】  電子レンジなどの高周波加熱装置の加熱室内において、マイクロ波資源の有効利用に資することが可能なシステムを提供する。    【解決手段】  高周波加熱装置（電子レンジ１）の加熱室１ａ内に配設されたマイクロ波変換手段（例えばレクテナアレイ２）によって、導波管の開口部１ｂから照射されるマイクロ波から直流電力を得て、加熱室１ａ内或いは加熱室１ａ外に配設された直流電力蓄電手段（例えば充電装置３）によって、その直流電力を蓄電することを特徴とする。【選択図】          図１
2006017407.tif 000002
【特許請求の範囲】
【請求項１】
マイクロ波を受信して直流電力に変換するマイクロ波変換手段と、
前記マイクロ波変換手段によって得られた直流電力を蓄電する直流電力蓄電手段と、からなる電力蓄電システムであって、
前記マイクロ波変換手段は、前記マイクロ波が照射される高周波加熱装置の加熱室内に配設されることを特徴とする電力蓄電システム。
【請求項２】
前記マイクロ波変換手段は、複数のレクテナ素子から構成されるレクテナアレイであることを特徴とする請求項１記載の電力蓄電システム。
【請求項３】
前記マイクロ波変換手段は、前記高周波加熱装置の加熱室内の側壁面に配設されることを特徴とする請求項１又は２記載の電力蓄電システム。
【請求項４】
前記マイクロ波変換手段は、前記高周波加熱装置の加熱室内の天井壁面に配設されることを特徴とする請求項１又は２記載の電力蓄電システム。
【請求項５】
前記マイクロ波変換手段は、前記高周波加熱装置の前扉裏面に配設されることを特徴とする請求項１又は２記載の電力蓄電システム。
【請求項６】
前記高周波加熱装置の加熱室内の底壁面の略中央に所定高さを有する支持体を立設し、
前記マイクロ波変換手段は、前記支持体に配設されることを特徴とする請求項１又は２記載の電力蓄電システム。
【請求項７】
前記高周波加熱装置の加熱室内において被加熱物を誘電加熱している最中に、前記マイクロ波変換手段によって得られた直流電力を蓄電することを特徴とする請求項１から６のいずれか記載の電力蓄電システム。
【請求項８】
被加熱物を誘電加熱するための加熱室を備える高周波加熱装置において、
前記加熱室内に、マイクロ波を受信して直流電力に変換するマイクロ波変換手段を備えることを特徴とする高周波加熱装置。
【請求項９】
マイクロ波が照射される高周波加熱装置の加熱室内において、そのマイクロ波を受信して直流電力に変換するステップと、
前記高周波加熱装置の加熱室内又は加熱室外において、前記直流電力を蓄電するステップと、を含むことを特徴とする電力蓄電方法。
【発明の詳細な説明】
【技術分野】
【０００１】
本発明は、マイクロ波を受信して直流電力に変換し、その直流電力を蓄電する電力蓄電システムに関するものである。
【背景技術】
【０００２】
従来より、宇宙太陽光発電システムや電気自動車電力受給システムなど、マイクロ波を受信して電力を得る様々な研究が行われている。宇宙太陽光発電システムは、例えば特許文献１に示すように、宇宙空間において、太陽光を受けて発電した直流電力をマイクロ波に変換し、地上に伝送されてきたマイクロ波をマイクロ波受信装置（「レクテナ」と呼ぶ場合がある）により受電・直流変換して利用するシステムである。また、電気自動車電力受給システムは、例えば特許文献２に示すように、地面に設置されたマイクロ波送信器から送信されるマイクロ波を、電気自動車に搭載されたマイクロ波受信器で受信することにより電気自動車に電力供給するシステムである。マイクロ波を受信して電力を得る他の研究分野としては、カーナビシステム、歩行ロボットの位置制御、無線ＩＣタグなどが挙げられる。
【０００３】
このように、マイクロ波の電磁エネルギーから電力を得るシステムは、昨今の宇宙開発や無線通信技術の発展に伴って、年々その重要性が増してきている。
【０００４】
ところで、現在、一般家庭の代表的な調理器として、肉・魚等の冷凍食品や牛乳・お酒等の飲み物などを解凍・加熱する電子レンジが広く普及している。
【０００５】
電子レンジは、マグネトロン（真空管）から照射され、中波や短波よりも更に波長の短い２．４５ＧＨｚのマイクロ波の振動によって、冷凍食品や飲み物などの被加熱物中の水分子による摩擦現象を引き起こすことで、その被加熱物を発熱させている。すなわち、電磁波エネルギーを利用した高周波誘電加熱では、対流・放射・伝導に依存する他の加熱方法と比較して、被加熱物を均一かつ急速に昇温させることが可能である。
【０００６】
【特許文献１】特開２００３−３０９９３８（段落番号［０００１］）
【特許文献２】特開２００２−１５２９９６（段落番号［０００２］）
【発明の開示】
【発明が解決しようとする課題】
【０００７】
しかしながら、上述したように、マイクロ波の電磁エネルギーから電力を得る既存のシステムは、主として宇宙や基地局から送られてくるマイクロ波に着目するものが多く、一般家庭レベルにおけるマイクロ波資源の有効利用を図るものではない。
【０００８】
そのため、一般家庭に広く普及した電子レンジの加熱室内において、被加熱物を昇温させる目的で照射されるマイクロ波を受信して電力を得る試みはなされていないのが実情である。
【０００９】
本発明は、このような点に鑑みてなされたものであり、その目的は、電子レンジなどの高周波加熱装置の加熱室内において、マイクロ波資源の有効利用に資することが可能なシステムを提供することにある。
【課題を解決するための手段】
【００１０】
以上のような課題を解決するために、本発明は、以下のものを提供する。
【００１１】
（１）  マイクロ波を受信して直流電力に変換するマイクロ波変換手段と、前記マイクロ波変換手段によって得られた直流電力を蓄電する直流電力蓄電手段と、からなる電力蓄電システムであって、前記マイクロ波変換手段は、前記マイクロ波が照射される高周波加熱装置の加熱室内に配設されることを特徴とする電力蓄電システム。
【００１２】
本発明によれば、例えば２．４５ＧＨｚのマイクロ波を受信して直流電力に変換することが可能なマイクロ波変換手段と、そのマイクロ波変換手段によって得られた直流電力を蓄電することが可能な直流電力蓄電手段と、からなる電力蓄電システムであって、両手段のうちの少なくともマイクロ波変換手段は、受信可能なマイクロ波が照射される高周波加熱装置（例えば電子レンジ）の加熱室内に配設されることとしたから、一般家庭に広く普及した電子レンジの加熱室内において、被加熱物を昇温させる目的で照射されるマイクロ波を受信して電力を得るシステムを提供することができる。その結果、マイクロ波資源の有効利用に資するものとなる。
【００１３】
ここで、「高周波加熱装置」は、マイクロ波を照射しうるものであれば何でもよく、誘電加熱機能のみを備える装置のみならず、放射加熱機能や輻射加熱機能などの付加機能を備える装置であってもよい。また、高周波加熱装置の加熱室内に配設されたマイクロ波変換手段は、着脱可能な状態になっていてもよいし、加熱室内に固定されていてもよい。着脱可能（取り付け・取り外し可能）な状態とすることで、既存の高周波加熱装置にも配設することができ、少ないコストでマイクロ波資源の有効利用に資することができる。
【００１４】
また、「マイクロ波変換手段」は、マイクロ波を受信しうるものであれば何でもよく、例えば一般的なアンテナであってもよいし、車のフロントガラスやリアガラスに取り付けられ、熱や光を受けても変形・変色しにくいフィルムアンテナであってもよいし、後述するレクテナアレイであってもよい。さらに、「直流電力蓄電手段」は、直流電力を蓄電しうるものであれば何でもよく、例えば一般的な蓄電池であってもよいし、一般家庭や工場等に設置されるバッテリーであってもよい。
【００１５】
（２）  前記マイクロ波変換手段は、複数のレクテナ素子から構成されるレクテナアレイであることを特徴とする（１）記載の電力蓄電システム。
【００１６】
本発明によれば、上述したマイクロ波変換手段は、複数のレクテナ素子から構成されるレクテナアレイであることとしたから、電子レンジの加熱室内において、マイクロ波を高効率で受信して電力を得ることができる。また、単一のレクテナ素子ではなく、複数のレクテナ素子を配列することで、より効率的に電力を得ることができる。
【００１７】
（３）  前記マイクロ波変換手段は、前記高周波加熱装置の加熱室内の側壁面に配設されることを特徴とする（１）又は（２）記載の電力蓄電システム。
【００１８】
本発明によれば、上述したマイクロ波変換手段は、上述した高周波加熱装置の加熱室内の側壁面に配設されることとしたから、マイクロ波受信スペースを有効にとることができる。また、被加熱物を誘電加熱する場合であっても邪魔にならないといったメリットがある。
【００１９】
（４）  前記マイクロ波変換手段は、前記高周波加熱装置の加熱室内の天井壁面に配設されることを特徴とする（１）又は（２）記載の電力蓄電システム。
【００２０】
本発明によれば、上述したマイクロ波変換手段は、上述した高周波加熱装置の加熱室内の天井壁面に配設されることとしたから、加熱室上部のマイクロ波は、マイクロ波変換手段によって吸収されることとなる。
【００２１】
従って、設定条件によってはマイクロ波が加熱室上部よりも加熱室下部に集中する場合があり、かかる場合には、被加熱物を効果的に誘電加熱することが可能になる。また、マイクロ波変換手段によって加熱室上部のマイクロ波を吸収することで、被加熱物の上面（或いは上層部）を他の部分と比べて加熱させない（温めない）ようにすることもできる。
【００２２】
（５）  前記マイクロ波変換手段は、前記高周波加熱装置の前扉裏面に配設されることを特徴とする（１）又は（２）記載の電力蓄電システム。
【００２３】
本発明によれば、上述したマイクロ波変換手段は、上述した高周波加熱装置の前扉裏面に配設されることとしたから、前扉裏面周辺部のマイクロ波は、マイクロ波変換手段によって吸収されることとなる。従って、前扉に設置されたマイクロ波防護フィルムの穴の形状・大きさ等の如何に拘わらず、加熱室内に照射されたマイクロ波が前扉裏面から漏れるのを防ぐことができ、ひいては人体に悪影響を与えるのを防ぐことができる。
【００２４】
（６）  前記高周波加熱装置の加熱室内の底壁面の略中央に所定高さを有する支持体を立設し、前記マイクロ波変換手段は、前記支持体に配設されることを特徴とする（１）又は（２）記載の電力蓄電システム。
【００２５】
本発明によれば、上述した高周波加熱装置の加熱室内の底壁面の略中央に所定高さ（例えば加熱室の高さの半分）を有する支持体を立設し、上述したマイクロ波変換手段は、その支持体に配設されることとしたから、マイクロ波変換手段が加熱室内の空間的な中心位置に配設されることとなる結果、より効率的に電力を得ることができる。
【００２６】
（７）  前記高周波加熱装置の加熱室内において被加熱物を誘電加熱している最中に、前記マイクロ波変換手段によって得られた直流電力を蓄電することを特徴とする（１）から（６）のいずれか記載の電力蓄電システム。
【００２７】
本発明によれば、上述した高周波加熱装置の加熱室内において被加熱物を誘電加熱している最中に、上述したマイクロ波変換手段によって得られた直流電力を蓄電することとしたから、冷凍食品や飲み物などの被加熱物を誘電加熱することと、マイクロ波を受信して直流電力を得ることとを経時的に並行して行うことができ、ひいてはマイクロ波資源の有効利用に資することが可能になる。
【００２８】
（８）  被加熱物を誘電加熱するための加熱室を備える高周波加熱装置において、前記加熱室内に、マイクロ波を受信して直流電力に変換するマイクロ波変換手段を備えることを特徴とする高周波加熱装置。
【００２９】
本発明によれば、被加熱物を誘電加熱するための加熱室を備える高周波加熱装置において、その加熱室内に、マイクロ波を受信して直流電力に変換するマイクロ波変換手段を備えることとしたから、マイクロ波資源の有効利用に資する高周波加熱装置を新たに提供することができる。
【００３０】
なお、「マイクロ波変換手段」として複数のレクテナ素子から構成されるレクテナアレイを採用することで、より効率的に電力を得ることができる。また、この「マイクロ波変換手段」を加熱室内の側壁面に備える（配設する）ことで、被加熱物を誘電加熱する場合であっても邪魔にならず、マイクロ波受信スペースを有効にとることができる。また、この「マイクロ波変換手段」を加熱室内の天井壁面に備える（配設する）ことで、マイクロ波が加熱室上部より加熱室下部に集中する場合があり、かかる場合には、被加熱物を効果的に誘電加熱することができる。また、この「マイクロ波変換手段」を高周波加熱装置の前扉裏面に備える（配設する）ことで、前扉裏面周辺部のマイクロ波が吸収され、前扉に設置されたマイクロ波防護フィルムの穴の形状・大きさ等の如何に拘わらず、加熱室内に照射されたマイクロ波が前扉裏面から漏れるのを防ぐことができ、ひいては人体に悪影響を与えるのを防ぐことができる。さらに、この「マイクロ波変換手段」を加熱室内の底壁面の略中央に立設され、所定高さ（例えば加熱室の高さの半分）を有する支持体に備える（配設する）ことで、四方八方からのマイクロ波を受信することができ、ひいてはより効率的に電力を得ることができる。
【００３１】
（９）  マイクロ波が照射される高周波加熱装置の加熱室内において、そのマイクロ波を受信して直流電力に変換するステップと、前記高周波加熱装置の加熱室内又は加熱室外において、前記直流電力を蓄電するステップと、を含むことを特徴とする電力蓄電方法。
【００３２】
本発明によれば、マイクロ波が照射される高周波加熱装置の加熱室内において、そのマイクロ波を受信して直流電力に変換するステップと、高周波加熱装置の加熱室内又は加熱室外において、直流電力を蓄電するステップと、を含むこととしたから、マイクロ波資源の有効利用に資することができる。
【発明の効果】
【００３３】
以上説明したように、本発明は、マイクロ波を受信して直流電力に変換するマイクロ波変換手段と、その直流電力を蓄電する直流電力蓄電手段とを、そのマイクロ波が照射される高周波加熱装置の加熱室内に配設したシステムであるため、家電製品として代表的な電子レンジ等の内部から電力を得ることができ、ひいてはマイクロ波資源の有効利用に資することができる。
【発明を実施するための最良の形態】
【００３４】
以下、本発明の実施の形態を、図面を参照しながら説明する。
【００３５】
［システムの概要］
図１は、本発明の実施の形態に係る電力蓄電システムの概要を説明するための説明図である。
【００３６】
図１（ａ）において、本発明の実施の形態に係る電力蓄電システムは、高周波加熱装置の一例に相当する電子レンジ１と、マイクロ波変換手段の一例に相当するレクテナアレイ２（詳しくは［ハードウェア構成］において後述する）と、直流電力蓄電手段の一例に相当する蓄電装置３と、から構成される。
【００３７】
電子レンジ１は、摩擦現象によって被加熱物を昇温させる目的で、マグネトロン（図示せず）において発生した周波数２．４５ＧＨｚのマイクロ波を、導波管（図示せず）の開口部１ｂから加熱室１ａ内に照射する。そして、レクテナアレイ２は、そのマイクロ波を受信して直流電力に変換し、蓄電装置３に電力伝送を行う。その結果、蓄電装置３には所定の電力が蓄電されることになる。
【００３８】
なお、図１（ａ）では、レクテナアレイ２とともに、蓄電装置３も加熱室１ａ内に配設することとしたが、本発明はこれに限られず、例えば図１（ｂ）に示すように、電子レンジ１の加熱室１ａ外に配設することとしてもよい。これにより、蓄電装置３に対するマイクロ波の悪影響を防ぐことができ、蓄電装置３の設計仕様を容易にすることができる。
【００３９】
［ハードウェア構成］
図２は、電子レンジ１のハードウェア構成の一例を示すブロック図である。
【００４０】
図２において、電子レンジ１は、マグネトロン（図示せず）から照射されるマイクロ波をコントロールし、被加熱物を誘電加熱する各機能を総合的に制御する主制御部１０と、使用者からキー命令を受けるための入力部１１と、マイクロ波を発生させるマグネトロンに対する駆動信号、調理時間などを表示するＬＣＤに対するＬＣＤ駆動信号などを送信する出力部１２と、制御プログラム又は調理情報等の各種情報が記憶される記憶部１３（ワーキングエリアとして働くＲＡＭを含む）と、から構成されている。入力部１１，出力部１２，及び記憶部１３は、それぞれ主制御部１０と電気的に接続されている。なお、電子レンジ１のハードウェア構成の詳細については、既存のものと同様であるので省略する。
【００４１】
図３は、レクテナアレイ２のハードウェア構成の一例を示す説明図である。図３（ａ）は、レクテナアレイ２の機械的・電気的な構成の概略を示す斜視図であって、図３（ｂ）は、レクテナアレイ２に等間隔に配列された複数のレクテナ素子２０を拡大した拡大図である。
【００４２】
なお、図３（ａ）では、レクテナアレイ２に、レクテナ素子２０が等間隔で格子状に複数配列されているが、本発明はこれに限られず、その数，間隔，又は配列パターンの如何は問わない。一方で、図３（ｂ）では、説明の便宜上、レクテナ素子２０を上下２枚の基板に切断した様子を示しているが、両基板の相対的位置関係は問わない。
【００４３】
図３（ｂ）において、レクテナ素子２０は、ＣＭＳＡ（円形マイクロストリップアンテナ）２１と、給電ピン２２と、整流回路２３と、から構成される。
【００４４】
ＣＭＳＡ２１は、厚さの薄い誘電体基板上に円形パッチを作製し、これを共振器として動作させるものであって、給電線を付加することにより、基板に対して法線方向の指向性を有するアンテナとして機能する。なお、ＣＭＳＡ２１の基板比誘電率は例えば２．２、そのパッチ半径は例えば９．５ｍｍとすることができるが、本発明はこれに限定されるものではない。また、図３（ｂ）では、ＣＭＳＡ２１は円形状であるが、例えば正方形状（長方形状）のものであっても構わない。
【００４５】
給電ピン２２は、ＣＭＳＡ２１を給電する際に用いられる小型の導体棒であって、ＣＭＳＡ２１に入射されたマイクロ波を裏面の整流回路２３に導く機能を有する。
【００４６】
整流回路２３は、ＣＭＳＡ２１で受信したマイクロ波を直流電力に変換する回路であって、入力フィルタ２４と、ダイオード２５と、出力フィルタ２６と、から構成される。
【００４７】
入力フィルタ２４は、ＣＭＳＡ２１で受信したマイクロ波がダイオード２５によって整流される際に、基本波周波数の整数倍の高調波が生成されるのを予め防ぐ機能を有する。入力フィルタ２４の具体例としては、例えばこの高調波を阻止帯域とするローパスフィルタが挙げられる。
【００４８】
ダイオード２５は、入力フィルタ２４を介して入力されるマイクロ波を直流に変換する機能を有する、ダイオード２５の具体例としては、例えばマイクロ波領域で良好に動作するショットキーバリアダイオード等が挙げられる。
【００４９】
出力フィルタ２６は、マイクロ波がダイオード２５によって整流される際に生成される高調波を除去し、出力端子２７を介して外部の蓄電装置３（図１参照）に直流電力を出力する。
【００５０】
図４は、蓄電装置３のハードウェア構成の一例を示すブロック図である。
【００５１】
図４において、蓄電装置３は、主に、蓄電電流制御部３１と、蓄電部３２と、から構成される。蓄電電流制御部３１は、その内部に組み込まれたスイッチング素子のＯＮ／ＯＦＦ動作を適切に行うために、蓄電部３２からリアルタイムで電圧信号を受信する。これにより、蓄電部３２へ所定量の電力を蓄電することができる。
【００５２】
なお、蓄電電流制御部３１には、例えばスイッチングトランジスタやオペアンプ等の素子が用いられる。また、蓄電部３２には、例えば電気二重層コンデンサが用いられる。この電気二重層コンデンサは、化学変化がないので長寿命であって、電圧が比較的安定している。その他、蓄電装置３には、平滑コンデンサ、リアクタなど、蓄電機能を発揮するにあたって必要な電気的素子や化学的素子が組み込まれているものとする。
【００５３】
［システムの動作説明］
図５は、本発明の実施の形態に係る電力蓄電システムの動作説明をするためのフローチャートである。
【００５４】
図５において、まず、電子レンジ１の加熱室１ａ内にマイクロ波が照射される（ステップＳ１）。より具体的には、電子レンジ１の主制御部１０は、入力部１１からの電力蓄電に関する入力信号を受信すると、記憶部１３から所定プログラムを読み出して、出力部１２にマグネトロンに対して駆動信号を送信するよう指示する。その結果、出力部１２から駆動信号を受信したマグネトロンは、マイクロ波を生成する。そして、そのマイクロ波は、導波管内を伝播して、図１に示す導波管の開口部１ｂから加熱室内１ａに照射される。
【００５５】
次いで、マイクロ波の受信が行われる（ステップＳ２）。より具体的には、レクテナアレイ２は、上述の通り、複数配列されたレクテナ素子２０のＣＭＳＡ２１によって、加熱室内１ａに照射されたマイクロ波を受信する。
【００５６】
次いで、直流電力変換が行われる（ステップＳ３）。より具体的には、整流回路２３は、ＣＭＳＡ２１によって受信されたマイクロ波を、給電ピン２２を介して取り込み、入力フィルタ２４で高調波の除去（低減）を行った後、ダイオード２５によって整流（直流電力変換）を行う。
【００５７】
次いで、直流電力伝送が行われる（ステップＳ４）。より具体的には、整流回路２３は、ステップＳ３によって得られた直流電力を、出力フィルタ２６及び出力端子を介して外部の蓄電装置３（図１参照）に伝送する。
【００５８】
最後に、蓄電が行われる（ステップＳ５）。より具体的には、蓄電装置３の蓄電電流制御部３１は、整流回路２３の出力端子２７と電気的に接続されており、出力端子２７から直流電力（直流電圧）が入力されると、蓄電部３２からの電圧信号を監視しつつ、その直流電力を蓄電部３２に送る。その結果、例えば電気二重層コンデンサからなる蓄電部３２に直流電力を蓄電することができる。
【００５９】
［変形例］
図６は、本発明の他の実施の形態に係る電力蓄電システムの概要を説明するための説明図である。
【００６０】
図６において、本発明の他の実施の形態に係る電力蓄電システムは、電子レンジ１の加熱室１ａの天井壁面（導波管の開口部Ｘの近傍）に、レクテナアレイ２を配設したものである。なお、図１に示す蓄電装置３については、図示を省略している。
【００６１】
図６の電力蓄電システムによれば、加熱室１ａの上層部よりも加熱室１ａの下層部にマイクロ波が集中する場合があり、かかる場合には、加熱室１ａの下層部に載置される被加熱物を効果的に誘電加熱することが可能になる。
【００６２】
図７は、本発明の他の実施の形態に係る電力蓄電システムの概要を説明するための説明図である。
【００６３】
図７において、本発明の他の実施の形態に係る電力蓄電システムは、電子レンジ１の加熱室１ａの底壁面の略中央に、所定高さ（好ましくは、加熱室１ａの高さの半分）を有する支持体（例えば陶器，セラミックスなど）が立設されており、その支持体の周面にレクテナアレイ２が配設されている。
【００６４】
このように、レクテナアレイ２を平面的ではなく立体的に配設することで、四方八方からのマイクロ波を効率的に受信することができ、ひいてはより効率的に電力を得ることができる。また、支持体の高さを加熱室１ａの高さの半分ぐらいにすれば、レクテナアレイ２が加熱室１ａの空間的な中心位置に配設されることとなり、その結果、より効率的に電力を得ることができる。
【００６５】
図８は、本発明の他の実施の形態に係る電力蓄電システムの概要を説明するための説明図である。
【００６６】
図８において、本発明の他の実施の形態に係る電力蓄電システムは、電子レンジ１の加熱室１ａ内のターンテーブルの略中央に、レクテナアレイ２が配設された支持体が立設され、そのターンテーブルには肉まんなどの冷凍食品が載置されている。
【００６７】
この状態でシステムを動作させることによって（図５のフローチャート参照）、その肉まんを誘電加熱しつつ、マイクロ波を受信して直流電力を得ることができ、ひいてはマイクロ波資源の有効利用に資することが可能になる。
【産業上の利用可能性】
【００６８】
本発明に係る電力蓄電システムは、高周波加熱装置内に配設されたマイクロ波変換手段によって直流電力を得るものなので、被加熱物を昇温させる目的で照射されるマイクロ波資源の有効利用に資するものとして有用である。
【図面の簡単な説明】
【００６９】
【図１】本発明の実施の形態に係る電力蓄電システムの概要を説明するための説明図である。
【図２】電子レンジのハードウェア構成の一例を示すブロック図である。
【図３】レクテナアレイのハードウェア構成の一例を示す説明図である。
【図４】蓄電装置のハードウェア構成の一例を示すブロック図である。
【図５】本発明の実施の形態に係る電力蓄電システムの動作説明をするためのフローチャートである。
【図６】本発明の他の実施の形態に係る電力蓄電システムの概要を説明するための説明図である。
【図７】本発明の他の実施の形態に係る電力蓄電システムの概要を説明するための説明図である。
【図８】本発明の他の実施の形態に係る電力蓄電システムの概要を説明するための説明図である。
【符号の説明】
【００７０】
１  電子レンジ
２  レクテナアレイ
３  蓄電装置
１０  主制御部
１１  入力部
１２  出力部
１３  記憶部
２０  レクテナ素子
２１  ＣＭＳＡ（円形マイクロストリップアンテナ）
２２  給電ピン
２３  整流回路
２４  入力フィルタ
２５  ダイオード
２６  出力フィルタ
２７  出力端子
３１  蓄電電流制御部
３２  蓄電部
【図２】
2006017407.tif 000003
【図４】
2006017407.tif 000004
【図５】
2006017407.tif 000005
【図１】
2006017407.tif 000006
【図３】
2006017407.tif 000007
【図６】
2006017407.tif 000008
【図７】
2006017407.tif 000009
【図８】
2006017407.tif 000010